【手続補正書】
【提出日】平成23年6月9日(2011.6.9)
【手続補正１】
【補正対象書類名】特許請求の範囲
【補正対象項目名】全文
【補正方法】変更
【補正の内容】
【特許請求の範囲】
【請求項１】
実行すべき処理を指定した処理指定情報を含む操作データに従って処理を実行するデータ処理装置に、上記操作データを送信する操作装置に対して、上記操作データを提供するデータ提供装置であって、
上記データ処理装置からアクセスされた際に自装置にて行なう認証処理で用いる認証情報を、上記操作装置毎に生成する認証情報生成手段と、
上記認証情報生成手段が生成した認証情報を含み、上記認証処理を指定した上記処理指定情報を含む上記操作データを生成する操作データ生成手段と、
上記操作データ生成手段が生成した上記操作データを、上記操作装置に送信する操作データ送信手段と、
上記データ処理装置から、上記操作データに含まれる上記認証情報、および、上記データ処理装置を識別可能な第１装置情報を受信する認証情報／装置情報受信手段と、
上記認証情報／装置情報受信手段が受信した上記認証情報および上記第１装置情報の組を用いて上記認証処理を行なう認証情報／装置情報検査手段とを備えることを特徴とするデータ提供装置。
【請求項２】
上記認証情報生成手段が生成した上記認証情報と、上記第１装置情報とを対応付けて自装置の認証情報／装置情報記憶部に格納する認証情報／装置情報格納手段をさらに備え、
上記認証情報／装置情報検査手段は、上記認証情報／装置情報受信手段が受信した上記認証情報および上記第１装置情報の組と、上記認証情報／装置情報記憶部に記憶された上記認証情報および上記第１装置情報の組とが一致するか否かを調べることによって上記認証処理を行なうことを特徴とする請求項１に記載のデータ提供装置。
【請求項３】
上記認証情報生成手段は、上記認証情報として電子署名を生成するものであって、
上記認証情報／装置情報検査手段は、上記認証情報／装置情報受信手段が受信した上記認証情報としての上記電子署名の正当性を検証するとともに、上記認証情報／装置情報受信手段が受信した上記第１装置情報と、自装置に予め記憶されている第１装置情報とが一致するか否かを調べることによって上記認証処理を行なうことを特徴とする請求項１に記載のデータ提供装置。
【請求項４】
上記操作装置を識別可能な第２装置情報を予め記憶する第２装置情報記憶部と、
上記操作装置から、上記認証情報を生成する要求、および、上記第２装置情報を受信する認証情報生成要求受信手段と、
上記認証情報生成手段は、上記認証情報生成要求受信手段が受信した上記第２装置情報と、上記第２装置情報記憶部に記憶された上記第２装置情報とが一致するか否かを調べ、上記認証情報生成要求受信手段が受信した上記第２装置情報と、上記第２装置情報記憶部に記憶された上記第２装置情報とが一致した場合、上記認証情報を生成することを特徴とする請求項１から３のいずれか１項に記載のデータ提供装置。
【請求項５】
上記第１装置情報を予め記憶する第１装置情報記憶部と、
上記データ処理装置から、上記認証情報を生成する要求、および、上記第１装置情報を受信する認証情報生成要求受信手段と、
上記認証情報生成手段は、上記認証情報生成要求受信手段が受信した上記第１装置情報と、上記第１装置情報記憶部に記憶された上記第１装置情報とが一致するか否かを調べ、上記認証情報生成要求受信手段が受信した上記第１装置情報と、上記第１装置情報記憶部に記憶された上記第１装置情報とが一致した場合、上記認証情報を生成することを特徴とする請求項１から３のいずれか１項に記載のデータ提供装置。
【請求項６】
上記操作データは、上記操作装置がユーザに提示可能なデータであることを特徴とする請求項１から５のいずれか１項に記載のデータ提供装置。
【請求項７】
実行すべき処理を指定した処理指定情報を含む操作データに従って処理を実行するデータ処理装置からアクセスされた際に行なう認証処理で用いる認証情報を、外部装置からの要求に応じて生成するデータ提供装置から提供された上記操作データを、上記データ処理装置に送信する操作装置であって、
上記データ提供装置に上記認証情報を要求する認証情報要求手段と、
上記データ提供装置から、当該要求に応じて生成された上記認証情報を含み、上記認証処理を指定した上記処理指定情報を含む上記操作データを受信する操作データ受信手段と、
上記操作データ受信手段が受信した上記操作データを、上記データ処理装置に送信する操作データ送信手段とを備えることを特徴とする操作装置。
【請求項８】
上記認証情報要求手段は、さらに、自装置を識別可能な装置情報を送信することを特徴とする請求項７に記載の操作装置。
【請求項９】
上記操作データは、自装置がユーザに提示可能なデータであって、
上記操作データ受信手段が受信した上記操作データを表示する表示部をさらに備えることを特徴とする請求項７または８に記載の操作装置。
【請求項１０】
外部装置からアクセスされた際に行なう認証処理で用いる認証情報を生成するデータ提供装置から操作装置に提供された、実行すべき処理を指定した処理指定情報を含む操作データに従って処理を実行するデータ処理装置であって、
上記データ提供装置に上記認証情報を要求するとともに、自装置を識別可能な装置情報を上記データ提供装置に送信する認証情報要求手段と、
上記要求された上記認証情報を含み、上記認証処理を指定した上記処理指定情報を含む上記操作データを、上記操作装置から受信する操作データ受信手段と、
上記操作データ受信手段が受信した上記操作データから上記認証情報を抽出する認証情報抽出手段と、
上記認証情報抽出手段が抽出した上記認証情報、および、自装置を識別可能な装置情報を、上記データ提供装置に送信する認証情報／装置情報送信手段とを備えることを特徴とするデータ処理装置。
【請求項１１】
実行すべき処理を指定した処理指定情報を含む操作データに従って処理を実行するデータ処理装置に、上記操作データを送信する操作装置に対して、上記操作データを提供するデータ提供装置の制御方法であって、
上記データ処理装置からアクセスされた際に自装置にて行なう認証処理で用いる認証情報を、上記操作装置毎に生成する認証情報生成ステップと、
上記認証情報生成ステップにて生成した認証情報を含み、上記認証処理を指定した上記処理指定情報を含む上記操作データを生成する操作データ生成ステップと、
上記操作データ生成ステップにて生成した上記操作データを、上記操作装置に送信する操作データ送信ステップと、
上記データ処理装置から、上記操作データに含まれる上記認証情報、および、上記データ処理装置を識別可能な第１装置情報を受信する認証情報／装置情報受信ステップと、
上記認証情報／装置情報受信ステップにて受信した上記認証情報および上記第１装置情報の組を用いて上記認証処理を行なう認証情報／装置情報検査ステップとを含むことを特徴とするデータ提供装置の制御方法。
【請求項１２】
実行すべき処理を指定した処理指定情報を含む操作データに従って処理を実行するデータ処理装置からアクセスされた際に行なう認証処理で用いる認証情報を、外部装置からの要求に応じて生成するデータ提供装置から提供された上記操作データを、上記データ処理装置に送信する操作装置の制御方法であって、
上記データ提供装置に上記認証情報を要求するステップと、
上記データ提供装置から、当該要求に応じて生成された上記認証情報を含み、上記認証処理を指定した上記処理指定情報を含む上記操作データを受信する操作データ受信ステップと、
上記操作データ受信ステップにて受信した上記操作データを、上記データ処理装置に送信する操作データ送信ステップとを含むことを特徴とする操作装置の制御方法。
【請求項１３】
外部装置からアクセスされた際に行なう認証処理で用いる認証情報を生成するデータ提供装置から操作装置に提供された、実行すべき処理を指定した処理指定情報を含む操作データに従って処理を実行するデータ処理装置の制御方法であって、
上記データ提供装置に上記認証情報を要求するとともに、自装置を識別可能な装置情報を上記データ提供装置に送信するステップと、
上記要求された上記認証情報を含み、上記認証処理を指定した上記処理指定情報を含む上記操作データを、上記操作装置から受信する操作データ受信ステップと、
上記操作データ受信ステップにて受信した上記操作データから上記認証情報を抽出する認証情報抽出ステップと、
上記認証情報抽出ステップにて抽出した上記認証情報、および、自装置を識別可能な装置情報を、上記データ提供装置に送信する認証情報／装置情報送信ステップとを含むことを特徴とするデータ処理装置の制御方法。
【請求項１４】
請求項１から６のいずれか１項に記載のデータ提供装置が備えるコンピュータを動作させる制御プログラムであって、上記コンピュータを上記の各手段として機能させるための制御プログラム。
【請求項１５】
請求項７から９のいずれか１項に記載の操作装置が備えるコンピュータを動作させる制御プログラムであって、上記コンピュータを上記の各手段として機能させるための制御プログラム。
【請求項１６】
請求項１０に記載のデータ処理装置が備えるコンピュータを動作させる制御プログラムであって、上記コンピュータを上記の各手段として機能させるための制御プログラム。
【請求項１７】
請求項１４に記載の制御プログラムを記録したコンピュータ読み取り可能な記録媒体。
【請求項１８】
請求項１５に記載の制御プログラムを記録したコンピュータ読み取り可能な記録媒体。
【請求項１９】
請求項１６に記載の制御プログラムを記録したコンピュータ読み取り可能な記録媒体。
【手続補正２】
【補正対象書類名】明細書
【補正対象項目名】発明の名称
【補正方法】変更
【補正の内容】
【発明の名称】データ提供装置、操作装置、データ処理装置、データ提供装置の制御方法、操作装置の制御方法、データ処理装置の制御方法、制御プログラム、および制御プログラムを記録したコンピュータ読み取り可能な記録媒体
【手続補正３】
【補正対象書類名】明細書
【補正対象項目名】００４３
【補正方法】変更
【補正の内容】
【００４３】
また、上記課題を解決するために、本発明に係る操作装置は、実行すべき処理を指定した処理指定情報を含む操作データに従って処理を実行するデータ処理装置からアクセスされた際に行なう認証処理で用いる認証情報を、外部装置からの要求に応じて生成するデータ提供装置から提供された上記操作データを、上記データ処理装置に送信する操作装置であって、上記データ提供装置に上記認証情報を要求する認証情報要求手段と、上記データ提供装置から、当該要求に応じて生成された上記認証情報を含み、上記認証処理を指定した上記処理指定情報を含む上記操作データを受信する操作データ受信手段と、上記操作データ受信手段が受信した上記操作データを、上記データ処理装置に送信する操作データ送信手段とを備えることを特徴としている。
【手続補正４】
【補正対象書類名】明細書
【補正対象項目名】００４４
【補正方法】変更
【補正の内容】
【００４４】
また、本発明に係る操作装置の制御方法は、実行すべき処理を指定した処理指定情報を含む操作データに従って処理を実行するデータ処理装置からアクセスされた際に行なう認証処理で用いる認証情報を、外部装置からの要求に応じて生成するデータ提供装置から提供された上記操作データを、上記データ処理装置に送信する操作装置の制御方法であって、上記データ提供装置に上記認証情報を要求するステップと、上記データ提供装置から、当該要求に応じて生成された上記認証情報を含み、上記認証処理を指定した上記処理指定情報を含む上記操作データを受信する操作データ受信ステップと、上記操作データ受信ステップにて受信した上記操作データを、上記データ処理装置に送信する操作データ送信ステップとを含むことを特徴としている。
【手続補正５】
【補正対象書類名】明細書
【補正対象項目名】００４８
【補正方法】変更
【補正の内容】
【００４８】
さらに、上述したように、本発明に係る操作装置は、上記データ提供装置に上記認証情報を要求する認証情報要求手段をさらに備えている。
【手続補正６】
【補正対象書類名】明細書
【補正対象項目名】００６０
【補正方法】変更
【補正の内容】
【００６０】
また、上記課題を解決するために、本発明に係るデータ処理装置は、外部装置からアクセスされた際に行なう認証処理で用いる認証情報を生成するデータ提供装置から操作装置に提供された、実行すべき処理を指定した処理指定情報を含む操作データに従って処理を実行するデータ処理装置であって、上記データ提供装置に上記認証情報を要求するとともに、自装置を識別可能な装置情報を上記データ提供装置に送信する認証情報要求手段と、上記要求された上記認証情報を含み、上記認証処理を指定した上記処理指定情報を含む上記操作データを、上記操作装置から受信する操作データ受信手段と、上記操作データ受信手段が受信した上記操作データから上記認証情報を抽出する認証情報抽出手段と、上記認証情報抽出手段が抽出した上記認証情報、および、自装置を識別可能な装置情報を、上記データ提供装置に送信する認証情報／装置情報送信手段とを備えることを特徴としている。
【手続補正７】
【補正対象書類名】明細書
【補正対象項目名】００６１
【補正方法】変更
【補正の内容】
【００６１】
また、本発明に係るデータ処理装置の制御方法は、外部装置からアクセスされた際に行なう認証処理で用いる認証情報を生成するデータ提供装置から操作装置に提供された、実行すべき処理を指定した処理指定情報を含む操作データに従って処理を実行するデータ処理装置の制御方法であって、上記データ提供装置に上記認証情報を要求するとともに、自装置を識別可能な装置情報を上記データ提供装置に送信するステップと、上記要求された上記認証情報を含み、上記認証処理を指定した上記処理指定情報を含む上記操作データを、上記操作装置から受信する操作データ受信ステップと、上記操作データ受信ステップにて受信した上記操作データから上記認証情報を抽出する認証情報抽出ステップと、上記認証情報抽出ステップにて抽出した上記認証情報、および、自装置を識別可能な装置情報を、上記データ提供装置に送信する認証情報／装置情報送信ステップとを含むことを特徴としている。
【手続補正８】
【補正対象書類名】明細書
【補正対象項目名】００６６
【補正方法】変更
【補正の内容】
【００６６】
また、上述したように、本発明に係るデータ処理装置は、上記データ提供装置に上記認証情報を要求するとともに、自装置を識別可能な装置情報を上記データ提供装置に送信する認証情報要求手段をさらに備えている。
【手続補正９】
【補正対象書類名】明細書
【補正対象項目名】００８１
【補正方法】変更
【補正の内容】
【００８１】
また、本発明に係る操作装置は、実行すべき処理を指定した処理指定情報を含む操作データに従って処理を実行するデータ処理装置からアクセスされた際に行なう認証処理で用いる認証情報を、外部装置からの要求に応じて生成するデータ提供装置から提供された上記操作データを、上記データ処理装置に送信する操作装置であって、上記データ提供装置に上記認証情報を要求する認証情報要求手段と、上記データ提供装置から、当該要求に応じて生成された上記認証情報を含み、上記認証処理を指定した上記処理指定情報を含む上記操作データを受信する操作データ受信手段と、上記操作データ受信手段が受信した上記操作データを、上記データ処理装置に送信する操作データ送信手段とを備えている。
【手続補正１０】
【補正対象書類名】明細書
【補正対象項目名】００８２
【補正方法】変更
【補正の内容】
【００８２】
また、本発明に係る操作装置の制御方法は、実行すべき処理を指定した処理指定情報を含む操作データに従って処理を実行するデータ処理装置からアクセスされた際に行なう認証処理で用いる認証情報を、外部装置からの要求に応じて生成するデータ提供装置から提供された上記操作データを、上記データ処理装置に送信する操作装置の制御方法であって、上記データ提供装置に上記認証情報を要求するステップと、上記データ提供装置から、当該要求に応じて生成された上記認証情報を含み、上記認証処理を指定した上記処理指定情報を含む上記操作データを受信する操作データ受信ステップと、上記操作データ受信ステップにて受信した上記操作データを、上記データ処理装置に送信する操作データ送信ステップとを含んでいる。
【手続補正１１】
【補正対象書類名】明細書
【補正対象項目名】００８５
【補正方法】変更
【補正の内容】
【００８５】
また、本発明に係るデータ処理装置は、外部装置からアクセスされた際に行なう認証処理で用いる認証情報を生成するデータ提供装置から操作装置に提供された、実行すべき処理を指定した処理指定情報を含む操作データに従って処理を実行するデータ処理装置であって、上記データ提供装置に上記認証情報を要求するとともに、自装置を識別可能な装置情報を上記データ提供装置に送信する認証情報要求手段と、上記要求された上記認証情報を含み、上記認証処理を指定した上記処理指定情報を含む上記操作データを、上記操作装置から受信する操作データ受信手段と、上記操作データ受信手段が受信した上記操作データから上記認証情報を抽出する認証情報抽出手段と、上記認証情報抽出手段が抽出した上記認証情報、および、自装置を識別可能な装置情報を、上記データ提供装置に送信する認証情報／装置情報送信手段とを備えている。
【手続補正１２】
【補正対象書類名】明細書
【補正対象項目名】００８６
【補正方法】変更
【補正の内容】
【００８６】
また、本発明に係るデータ処理装置の制御方法は、外部装置からアクセスされた際に行なう認証処理で用いる認証情報を生成するデータ提供装置から操作装置に提供された、実行すべき処理を指定した処理指定情報を含む操作データに従って処理を実行するデータ処理装置の制御方法であって、上記データ提供装置に上記認証情報を要求するとともに、自装置を識別可能な装置情報を上記データ提供装置に送信するステップと、上記要求された上記認証情報を含み、上記認証処理を指定した上記処理指定情報を含む上記操作データを、上記操作装置から受信する操作データ受信ステップと、上記操作データ受信ステップにて受信した上記操作データから上記認証情報を抽出する認証情報抽出ステップと、上記認証情報抽出ステップにて抽出した上記認証情報、および、自装置を識別可能な装置情報を、上記データ提供装置に送信する認証情報／装置情報送信ステップとを含んでいる。
【手続補正１３】
【補正対象書類名】明細書
【補正対象項目名】０２１７
【補正方法】変更
【補正の内容】
【０２１７】
（サービス提供装置のより詳細な構成）
続いて、サービス提供装置４００のより詳細な構成について説明する。図示のように、サービス提供装置記憶部４０７は、画像データ記憶部４７１、認証情報記憶部４７２、提供コンテンツ記憶部４７３、および端末／ユーザ情報記憶部４７４を含んでいる。また、サービス提供装置制御部４０３は、端末／ユーザ情報登録処理部４３１、アクセス要求受信処理部４３２、ログイン指示送信処理部４３３、認証要求受信処理部４３４、ワンタイムＰＷ生成処理部４３５（認証情報生成手段）、画像データ生成処理部４３６（操作データ生成手段、操作データ送信手段）、およびログイン要求受信処理部４３７を含んでいる。
【手続補正１４】
【補正対象書類名】明細書
【補正対象項目名】０３３６
【補正方法】変更
【補正の内容】
【０３３６】
そして、表示処理装置２００は購入用画像データ３Ｄを受信すると（Ｓ６２１）、処理指定情報抽出処理部２３４が、該受信した購入用画像データ３Ｄを解析する（Ｓ６２２）。具体的には、上記受信した購入用画像データ３Ｄに含まれる処理指定情報５を抽出する。この場合、ＵＲＬが含まれているか否か、並びに、ワンタイムパスワードおよび端末ＩＤが含まれているか否かを解析し、抽出する。そして、上記抽出したワンタイムパスワードおよび端末ＩＤをサービス提供装置４００に送信する（Ｓ６２３）。なお、上記解析において、ＵＲＬが抽出されている場合、該ＵＲＬで指定されるサーバ装置などに対して、上記抽出したワンタイムパスワードおよび端末ＩＤをサービス提供装置４００に送信する。
【手続補正１５】
【補正対象書類名】明細書
【補正対象項目名】０３５１
【補正方法】変更
【補正の内容】
【０３５１】
また、サービス提供装置記憶部４０７が、認証情報記憶部４７２を備えておらず、かつ、端末／ユーザ情報記憶部４７４に代えて、端末／ユーザ情報記憶部４７６（認証情報／装置情報記憶部、第２装置情報記憶部）を備えている点が異なる。
【手続補正１６】
【補正対象書類名】明細書
【補正対象項目名】０３８８
【補正方法】変更
【補正の内容】
【０３８８】
（サービス提供装置のより詳細な構成）
本実施の形態に係るサービス提供装置４００は、実施の形態１に係るサービス提供装置４００とほぼ同様の構成を備えている。ただし、サービス提供装置制御部４０３が、認証要求受信処理部４３４およびログイン要求受信処理部４３７のそれぞれに代えて、認証情報発行要求受信処理部４４３（認証情報生成要求受信手段）およびログイン要求受信処理部４４４（認証情報／装置情報受信手段、認証情報／装置情報検査手段）を備えるとともに、さらに、電子メール送信処理部４４５（操作データ送信手段）を備えている点が異なる。また、サービス提供装置記憶部４０７が、端末／ユーザ情報記憶部４７４代えて、端末／ユーザ情報記憶部４７７（第１装置情報記憶部）を備えている点が異なる。
【手続補正１７】
【補正対象書類名】明細書
【補正対象項目名】０４４７
【補正方法】変更
【補正の内容】
【０４４７】
３    操作用画像データ（操作データ）
３Ａ  サイトアクセス用画像データ
３Ｂ  認証用画像データ（操作データ）
３Ｃ  認証情報付きサイトアクセス用画像データ
３Ｄ  購入用画像データ
３Ｅ  ユーザ識別用画像データ（操作データ）
１００    操作システム
２００    表示処理装置（データ処理装置）
２３３    画像データ受信処理部（操作データ受信手段）
２３４    処理指定情報抽出処理部（認証情報抽出手段）
２３５４    ログイン要求処理部（認証情報／装置情報送信手段）
２３５５    ログイン要求処理部（認証情報／装置情報送信手段）
２３５６    認証情報発行要求処理部（認証情報要求手段）
３００    操作装置
３０４    表示部
３３５    画像データ受信処理部（操作データ受信手段）
３３６    画像データ送信処理部（操作データ送信手段）
３３９    電子メール受信処理部（操作データ受信手段）
３３８    ユーザ識別要求処理部（認証情報要求手段）
４００    サービス提供装置（データ提供装置）
４３５    ワンタイムＰＷ生成処理部（認証情報生成手段）
４３６    画像データ生成処理部（操作データ生成手段、操作データ送信手段）
４４０    ユーザ識別要求受信処理部（認証情報生成要求受信手段）
４４１    ユーザ識別情報生成処理部（認証情報生成手段、認証情報／装置情報格納手段）
４４２    ログイン要求受信処理部（認証情報／装置情報受信手段、認証情報／装置情報検査手段）
４４３    認証情報発行要求受信処理部（認証情報生成要求受信手段）
４４４    ログイン要求受信処理部（認証情報／装置情報受信手段、認証情報／装置情報検査手段）
４４５    電子メール送信処理部（操作データ送信手段）
４７２    認証情報記憶部
４７６    端末／ユーザ情報記憶部（認証情報／装置情報記憶部、第２装置情報記憶部）
４７７    端末／ユーザ情報記憶部（第１装置情報記憶部）